(57)【特許請求の範囲】
【請求項１】
導体板を彎曲させてバネ接点を形成した金属端子を、スリットが設けられたハウジングに格納し、前記バネ接点をプリント基板に接触させる際に、前記金属端子の弾性変形で生じた復元力により前記バネ接点をプリント基板に付勢して、バッテリーパックから受給した電力をプリント基板に配置された回路に配送可能とするバッテリー端子であって、
前記バネ接点がプリント基板に接触して前記金属端子が弾性変形した際に、前記スリットから前記金属端子の彎曲した一部が突出することを防止する突出防止手段を備える、
ことを特徴とするバッテリー端子。
【請求項２】
前記突出防止手段は、前記金属端子の彎曲した一部を前記スリットよりも幅広に成形することにより構成される、
ことを特徴とする請求項１に記載のバッテリー端子。
【請求項３】
前記突出防止手段は、前記バネ接点をプリント基板に接触させる際に、前記ハウジングの内壁を摺動して、前記金属端子が弾性変形する方向を規定する、
ことを特徴とする請求項２に記載のバッテリー端子。
【請求項４】
前記突出防止手段は、
前記ハウジングに設けられたストッパーピンと、
前記金属端子の彎曲した一部に穿設され、前記バネ接点を前記プリント基板に接触させる際に前記ストッパーピンが入り込む貫通口とを備える、
ことを特徴とする請求項１に記載のバッテリー端子。
【発明の詳細な説明】
【０００１】
【発明の属する技術分野】
この発明は、バッテリーパックから電力を受給してケーシング内部に格納された回路に配送するためのバッテリー端子に係り、特に、適切な接触状態を保持することができるバッテリー端子に関する。
【０００２】
【従来の技術】
移動電話装置やＰＨＳ（Personal Handy-phone System）、ＰＤＡ（Personal Digital Assistants）といった携帯型の電子機器には、駆動電力の供給源となるバッテリーパックを搭載し、バッテリー端子を介して、内部回路に配送する電力を受給するものがある。
こうした携帯型の電子機器に取り付けられる従来のバッテリー端子は、例えば、図９（ａ）に示すようなハウジング２００に、図９（ｂ）に示すような金属端子２０１、２０２を格納して構成される。
【０００３】
金属端子２０１、２０２は、バネ接点２１０がバッテリーパックの出力端子と接触して電力を受給する。また、金属端子２０１、２０２は、バネ接点２１１が電子機器のケーシング内に格納されたプリント基板と接触し、バネ接点２１０が受給した電力を、プリント基板に配置された内部回路に配送する。
【０００４】
ここで、金属端子２０１、２０２は、略Ｓ字状に彎曲した屈曲部２１２を備えており、バネ接点２１１が電子機器のケーシング内でプリント基板に接触すると、屈曲部２１２の一部がスリット２０３、２０４から突出する。これにより、金属端子２０１、２０２は、弾性復元力を生じ、バネ接点２１０をプリント基板に付勢して、プリント基板との接触状態を維持することができる。
【０００５】
【発明が解決しようとする課題】
上記従来技術では、バネ接点２１１が電子機器のケーシング内でプリント基板に接触すると、屈曲部２１２の一部がスリット２０３、２０４から突出する。
ここで、外部から電子機器のケーシング等に衝撃が加えられると、バッテリー端子や、内部回路を配置したプリント基板の位置がずれることがある。この際、スリット２０３、２０４から突出した屈曲部２１２の一部が、導電処理の施されたシールドシャーシといった外部導体と接触して短絡することがあり、内部回路の破壊や誤動作の原因となっていた。
【０００６】
この発明は、上記実状に鑑みてなされたものであり、内部回路との適切な接触状態を保持することができるバッテリー端子を提供することを目的とする。
【０００７】
【課題を解決するための手段】
上記目的を達成するため、この発明のバッテリー端子は、
導体板を彎曲させてバネ接点を形成した金属端子を、スリットが設けられたハウジングに格納し、前記バネ接点をプリント基板に接触させる際に、前記金属端子の弾性変形で生じた復元力により前記バネ接点をプリント基板に付勢して、バッテリーパックから受給した電力をプリント基板に配置された回路に配送可能とするバッテリー端子であって、
前記バネ接点がプリント基板に接触して前記金属端子が弾性変形した際に、前記スリットから前記金属端子の彎曲した一部が突出することを防止する突出防止手段を備える、
ことを特徴とする。
【０００８】
この発明によれば、バネ接点がプリント基板に接触して金属端子が弾性変形した際に、突出防止手段が、スリットから金属端子の彎曲した一部が突出することを防止する。
これにより、外部導体との短絡を防止して、プリント基板との適切な接触状態を保持することができる。
【０００９】
より具体的には、前記突出防止手段は、前記金属端子の彎曲した一部を前記スリットよりも幅広に成形することにより構成されることが望ましい。
また、前記突出防止手段は、前記バネ接点をプリント基板に接触させる際に、前記ハウジングの内壁を摺動して、前記金属端子が弾性変形する方向を規定することが望ましい。
【００１０】
あるいは、前記突出防止手段は、
前記ハウジングに設けられたストッパーピンと、
前記金属端子の彎曲した一部に穿設され、前記バネ接点を前記プリント基板に接触させる際に前記ストッパーピンが入り込む貫通口とを備えてもよい。
【００１１】
【発明の実施の形態】
以下に、図面を参照して、この発明の実施の形態に係るバッテリー端子について詳細に説明する。
以下では、この発明の実施の形態に係るバッテリー端子１００が、移動電話装置１０１に取り付けられるものとして説明する。
【００１２】
図１は、この発明の実施の形態に係るバッテリー端子１００の外観を示す斜視図である。
このバッテリー端子１００は、ハウジング１０に、金属端子１１、１２を格納して構成される。
【００１３】
ハウジング１０は、金属端子１１、１２を格納して保持するためのものであり、スリット２０、２１が設けられている。
【００１４】
金属端子１１、１２は、バッテリーパックから電力を受給して、移動電話装置１０１の内部回路が設置されたプリント基板ＰＢに配送するためのものである。金属端子１１、１２は、いずれも図２に示すような形状を有し、導体板を彎曲させて形成したバネ接点１３、１４を備えている。また、金属端子１１、１２には、バネ接点１４がプリント基板ＰＢに接触すると弾性変形して復元力を生じる屈曲部１５が形成されている。
また、金属端子１１、１２は、屈曲部１５に、ハウジング１０に設けられたスリット２０、２１よりも幅広に形成された突出防止片１６、１７を有している。
【００１５】
バネ接点１３は、このバッテリー端子１００が移動電話装置１０１に取り付けられると、移動電話装置１０１に設けられた貫通口３４からケーシング３２の外部に露出し、バッテリーパックの出力端子と接触して電力を受給する。
バネ接点１４は、図１に示すハウジング１０の底面部分にて、ケーシング３２に格納された内部回路を実装するプリント基板ＰＢと接触し、バネ接点１３がバッテリーパックから受給した電力を、プリント基板ＰＢに配送する。
【００１６】
屈曲部１５は、金属端子１１、１２にて、例えば略Ｓ字状に彎曲して成形された部位であり、バネ接点１４がプリント基板ＰＢに接触した際に、プリント基板ＰＢから受ける力により弾性変形する。
こうして屈曲部１５は、弾性復元力により、バネ接点１４をプリント基板ＰＢに付勢する。
【００１７】
突出防止片１６、１７は、金属端子１１、１２の幅をスリット２０、２１の幅よりも広くなるように延出した部位であり、屈曲部１５において、ハウジング１０のスリット２０、２１が設けられた部位に近接する位置に設けられている。突出防止片１６、１７は、バネ接点１４がプリント基板ＰＢと接触して屈曲部１５が弾性変形する際に、ハウジング１０の内壁を摺動して、屈曲部１５が変形する方向を規定する。
【００１８】
スリット２０、２１は、突出防止片１６、１７をハウジング１０の内壁にて摺動させ、金属端子１１、１２を格納する位置と、屈曲部１５が弾性変形する方向を規定するための切欠部である。
【００１９】
次に、このバッテリー端子１００が取り付けられる移動電話装置１０１の構成について説明する。
【００２０】
図３は、バッテリーパックが取り外された状態での移動電話装置１０１の外観を示す図である。
この移動電話装置１０１は、入力キーや表示パネルを備えた前面ケース３０と、背面ケース３１とを組み合わせたケーシング３２を有している。ケーシング３２は、内部回路を配置したプリント基板ＰＢを格納する。ケーシング３２の内部には、例えばプリント基板ＰＢに配置された内部回路での電磁波障害等を除去するために、導体被膜が施されたシールドシャーシＳＣが設けられている。
【００２１】
背面ケース３１には、例えばリチウムイオン二次電池等のバッテリーパックを搭載するための凹部３３が形成されている。
凹部３３には、バッテリー端子１００を設置してバッテリーパックからの電力を受給するための貫通口３４が穿設されている。
【００２２】
図４は、背面ケース３１を、図３に示す切断線Ａにより切断した際の断面を示す図である。
図示するように、背面ケース３１に穿設された貫通口３４の近傍には、例えばリブ３５が設けられており、バッテリー端子１００を凹部３３との間に挟み込んで固定する。
【００２３】
以下に、この発明の実施の形態に係るバッテリー端子１００を移動電話装置１０１に取り付ける際の動作を説明する。
バッテリー端子１００は、例えば、移動電話装置１０１の背面ケース３１に形成された凹部３３とリブ３５との間に押し込まれることにより、ケーシング３２の内部にて、所定の取り付け位置に取り付けられる。
【００２４】
バッテリー端子１００は、図５に示すように、ハウジング１０の内部に金属端子１１、１２を格納して構成される。
金属端子１１、１２は、図６に示すように、バネ接点１４がプリント基板ＰＢに接触すると、屈曲部１５が弾性変形し、弾性復元力により、バネ接点１４をプリント基板ＰＢに付勢する。
【００２５】
すなわち、バネ接点１４がプリント基板ＰＢと接触すると、金属端子１１、１２は、プリント基板ＰＢからの力を受けて弾性変形し、屈曲部１５の曲がりが大きくなる。
この際、屈曲部１５は、スリット２０、２１が設けられた位置に突出防止片１６、１７が当接するまで、ハウジング１０の内壁に接近する方向に弾性変形する。
【００２６】
突出防止片１６、１７は、ハウジング１０にてスリット２０、２１が設けられた位置に当接すると、スリット２０、２１に沿って、ハウジング１０の内壁を摺動する。
例えば、金属端子１１が備える突出防止片１６、１７は、図７に示すように、ハウジング１０にてスリット２０が設けられた位置に当接すると、ハウジング１０の内壁を摺動して、屈曲部１５が弾性変形する方向を規定する。
これにより、金属端子１１、１２がスリット２０、２１から突出することを防止できる。
【００２７】
金属端子１１、１２の屈曲部１５は、突出防止片１６、１７がハウジング１０の内壁を摺動することにより規定される方向に弾性変形する。
これにより、金属端子１１、１２がハウジング１０の外部に突出することを防止できる。
このようにして、金属端子１１、１２は、屈曲部１５が弾性変形して復元力を生じることにより、バネ接点１４をプリント基板ＰＢに付勢し、プリント基板ＰＢとの接触状態を保持する。
【００２８】
こうしてバッテリー端子１００を背面ケース３１に取り付けて、前面ケース３０と背面ケース３１とを組み合わせることにより、移動電話装置１０１のケーシング３２を構成することができる。
この際、金属端子１１、１２がそれぞれ備えるバネ接点１３は、背面ケース３１の凹部３３に穿設された貫通口３４から露出する。
こののち、背面ケース３１が備える凹部３３にバッテリーパックを搭載すると、金属端子１１、１２のバネ接点１３がバッテリーパックの出力端子と接触し、プリント基板ＰＢに配送する電力を受給することができる。
【００２９】
このとき、ケーシング３２に衝撃が加えられるなどしてプリント基板ＰＢやバッテリー端子１００の位置がケーシング３２の内部でずれた場合、金属端子１１、１２がスリット２０、２１から突出していないことから、ハウジング１０がシールドシャーシＳＣと当接する。
従って、金属端子１１、１２がシールドシャーシＳＣと接触することがなく、短絡の発生を防止して、適切な接触状態を保持することができる。
【００３０】
以上説明したように、この発明によれば、ハウジング１０のスリット２０、２１が設けられた位置に、突出防止片１６、１７が当接することにより、金属端子１１、１２がハウジング１０の外部に突出することを防止できる。
これにより、ケーシング３２に衝撃が加えられるなどした場合に、金属端子１１、１２が外部導体であるシールドシャーシＳＣに接触することによる短絡の発生を防ぐことができ、適切な接触状態を保持してバッテリーパックからの電力を受給することができる。
【００３１】
この発明は、上記実施の形態に限定されず、様々な変形及び応用が可能である。
例えば、上記実施の形態では、突出防止片１６、１７が、ハウジング１０の内壁に当接することにより金属端子１１、１２の突出を防止するものとして説明したが、これに限定されない。
すなわち、例えば、図８に示すように、ハウジング１０のスリット２０、２１が設けられた位置にストッパーピン４０を設けると共に、金属端子１１、１２に貫通口４１を設けてもよい。なお、図８では、金属端子１１及びスリット２０のみを示しており、金属端子１２及びスリット２１も同様に構成すればよい。
この場合、バネ接点１４がプリント基板ＰＢに接触して屈曲部１５が弾性変形すると、ストッパーピン４０が貫通口４１に入り込むことにより、金属端子１１、１２の突出を防止する。
【００３２】
また、上記実施の形態では、バッテリー端子１００が移動電話装置１０１に取り付けられるものとして説明したが、これに限定されず、バッテリーパックから電力を受給して駆動する任意の電子機器に取り付ける場合にも適用することができる。
さらに、金属端子１１、１２との接触を防止する外部導体は、シールドシャーシＳＣに限定されず、例えばＬＳＩ（Large Scale Integration）チップの導体ピン等であってもよい。
【００３３】
また、ハウジング１０に格納する金属端子の数も任意であり、１つの金属端子のみを格納してもよく、より多くの金属端子を格納してもよい。
この場合、ハウジング１０には、格納する金属端子と同数のスリットを設け、各金属端子に突出防止片１６、１７を設けることにより、各金属端子がハウジング１０の外部に突出することを防止して、適切な接触状態を保持することができる。
【００３４】
【発明の効果】
以上の説明のように、この発明によれば、ハウジングに設けられたスリットから金属端子が突出することを防止することにより、外部導体との接触による短絡の発生を防ぎ、適切な接触状態を保持することができる。
【図面の簡単な説明】
【図１】この発明の実施の形態に係るバッテリー端子の外観を示す斜視図である。
【図２】金属端子の形状を説明するための図である。
【図３】バッテリー端子が取り付けられる移動電話装置の外観を示す図である。
【図４】背面ケースの断面を示す図である。
【図５】ハウジングの内部に金属端子を格納したバッテリー端子を示す図である。
【図６】バネ接点がプリント基板と接触したバッテリー端子を示す図である。
【図７】突出防止片がハウジングの内壁に当接したバッテリー端子を示す図である。
【図８】この発明の実施の形態に係るバッテリー端子の変形例を示す図である。
【図９】従来のバッテリー端子について説明するための図である。
【符号の説明】
１０、２００    ハウジング
１１、１２、２０１、２０２    金属端子
１３、１４、２１０、２１１    バネ接点
１５、２１２    屈曲部
１６、１７    突出防止片
２０、２１、２０３、２０４    スリット
３０    前面ケース
３１    背面ケース
３２    ケーシング
３３    凹部
３４、４１    貫通口
３５    リブ
４０    ストッパーピン
１００    バッテリー端子
１０１    移動電話装置
ＰＢ    プリント基板
ＳＣ    シールドシャーシ
【図１】
0003665543.tif 000002
【図２】
0003665543.tif 000003
【図３】
0003665543.tif 000004
【図４】
0003665543.tif 000005
【図５】
0003665543.tif 000006
【図６】
0003665543.tif 000007
【図７】
0003665543.tif 000008
【図８】
0003665543.tif 000009
【図９】
0003665543.tif 000010